(57)【要約】【課題】本発明はハンマー携帯具の出し入れ部にストッパーを付けてハンマーが外れて落下せず、且つ簡単に出し入れすることの出来、且つ携帯されたハンマーが大きく揺れないハンマー携帯具を得るにある。【解決手段】腰ベルトに固定される腰ベルトプレート５と、該腰ベルトプレート５のタテ方向中心に対峙して固定する二ヵ所の溝型アーム２と、該溝型アーム２間の上部ヨコ方向に設けるシャフト４と、該シャフト４を介して回転するＬ型回転ストッパー３から成るハンマー携帯具を構成している。【選択図】図５
2009248299.tif 000002
【特許請求の範囲】
【請求項１】
腰ベルトに固定される腰ベルトプレート（５）と、該腰ベルトプレート（５）のタテ方向中心に対峙して固定する二ヵ所の溝型アーム（２）と、該溝型アーム（２）間の上部ヨコ方向に設けるシャフト（４）と、該シャフト（４）を介して回転するＬ型回転ストッパー（３）から成るもので、前記溝型アーム（２）は腰ベルトプレート（５）に固定される内タテ部（２ａ）とハンマーヘッド（６ａ）を載せる溝底部（２ｂ）と外タテ部（２ｃ）から構成され、前記Ｌ型回転ストッパー（３）はヨコ方向のハンマーヘッド押え部（３ａ）とタテ方向のハンマー柄当たり部（３ｂ）と両部材の交差部に回転させるためのシャフト通し部（３ｃ）から構成され、ハンマー（６）を携帯具に入れるにはハンマー柄部（６ｂ）を握りハンマーヘッド（６ａ）をハンマーヘッド押え部（３ａ）の端部を持ち上げて差し込みハンマー柄部（６ｂ）を斜めか水平にした状態にして下げて溝底部（２ｂ）にハンマーヘッド（６ａ）を載せ、ハンマー柄部（６ｂ）を離し吊るして携帯するもので、その状態でハンマー（６）は突き上げ作用に対して外タテ部（２ｃ）とＬ型回転ストッパー（３）が作動するので外れ防止機構が働き、出す時には吊り下げられたハンマー柄部（６ｂ）を握り斜めか水平にして持ち上げることで外れ防止機構が解除されハンマー柄当たり部（３ｂ）と接触することなく持ち上げられるものとなりハンマーヘッド押え部（３ａ）を上げて出すものとしたハンマー携帯具。
【発明の詳細な説明】
【技術分野】
【０００１】本発明はハンマー携帯具に関する。
【背景技術】
【０００２】従来、ハンマーの携帯には釘袋の中に釘と一緒に入れていた。【０００３】従来、ハンマーの携帯には腰ベルト固定具にリングを付けたハンマー携帯具がある。【０００４】従来技術に（考案の名称：ハンマー腰吊用具）が提案されている。特許文献１参照又、従来技術に（考案の名称：ハンマーなどの工具差し）が提案されている。特許文献２参照、又従来技術に（考案の名称：ハンマー差し具）が提案されている。特許文献３参照。
【特許文献１】登録実用新案第３０３２８４５号
【特許文献２】実用新案公開平７−２４５７４
【特許文献３】実用新案公開平６−８３２８５
【発明の開示】
【発明が解決しようとする課題】
【０００５】従来技術の釘袋をハンマー携帯具として用いる難点として釘袋は背中側に位置し、その動作は右手でハンマーを出し入れし左手で釘を釘袋から出すものとなるが、動作に無理があり理想の位置はハンマーの携帯は右脇下側が好ましい。又、ハンマーが固定されないので歩行時や作業時に大きく揺れるので不快感が生じていた。【０００６】従来技術の腰ベルト固定具にリングを付けたハンマー携帯具の難点はハンマーを出し入れするのに腕を腰ベルトより上に持ち上げるため大きな動作をしなければならず理想としては無理のない動作で行える腰ベルトより下が好ましい。【０００７】従来技術の［特許文献１］の難点は携帯されたハンマーが下部からの突き上げ作用によってストッパーが無いので簡単に外れて落下してしまう恐れがある。又、ハンマーを出し入れするのに腕を腰ベルトより上に持ち上げるため大きな動作をしなければならず理想としては無理のない動作で行える腰ベルトより下が好ましい。【０００８】従来技術の［特許文献２］の難点はハンマーの頭部を線材やチェーンで吊るので携帯した時に歩行や作業時にハンマーの頭部が大きく揺れるため腰部に不快感が生じる。又、ハンマーを出し入れするのに腕を腰ベルトより上に持ち上げる動作をしなければならず理想としては腰ベルトより下が好ましい。【０００９】従来技術の［特許文献３］の難点はハンマーを収納する時は簡単に出来るが使用時の出すときはリングと同様に腕を腰ベルトより上に持ち上げる動作をしなければならず出し難い。【００１０】本発明は以上のような従来の欠点に鑑み、携帯具のハンマーは突き上げ等の衝撃に対して簡単に外れず、且つ、ハンマーの出し入れを腰ベルト以下にして無理な動作なく行えるものとし、且つ、携帯されたハンマーは大きく揺れないハンマー携帯具を提供することを目的としている。【００１１】本発明の前記ならびにその他の目的と新規な特徴は次の説明を添付図面と照らし合わせて読むと、より完全に明らかになるであろう。ただし、図面はもっぱら解説のためのものであって、本発明の記述的範囲を限定するものではない。
【課題を解決するための手段】
【００１２】上記目的を達成するために本発明は、腰ベルトに固定される腰ベルトプレート５と、該腰ベルトプレート５のタテ方向中心に対峙して固定する二ヵ所の溝型アーム２と、該溝型アーム２間の上部ヨコ方向に設けるシャフト４と、該シャフト４を介して回転するＬ型回転ストッパー３から成るもので、前記溝型アーム２は腰ベルトプレート５に固定される内タテ部２ａとハンマーヘッド６ａを載せる溝底部２ｂと外タテ部２ｃから構成され、前記Ｌ型回転ストッパー３はヨコ方向のハンマーヘッド押え部３ａとタテ方向のハンマー当たり部３ｂと両部材の交差部に回転させるためのシャフト通し部３ｃから構成され、ハンマー６を携帯具に入れるにはハンマー柄部６ｂを握りハンマーヘッド６ａをハンマーヘッド押え部３ａの端部を持ち上げて差し込みハンマー柄部６ｂを斜めか水平にした状態にして下げて溝底部２ｂにハンマーヘッド６ａを載せ、ハンマー柄部６ｂを離し吊るした状態にして携帯するもので、その状態でハンマー６は突き上げ作用に対して外タテ部２ｃとＬ型回転ストッパー３が作動するので外れ防止機構が働き、出す時には吊り下げられたハンマー柄部６ｂを握り斜めか水平にして持ち上げることで外れ防止機構が解除されハンマー柄当たり部３ｂと接触することなく持ち上げられるものとなりハンマーヘッド押え部３ａを上げて出すものとしたハンマー携帯具を構成している。
【発明の効果】
【００１３】  以上の説明から明らかなように、本発明にあっては次に列挙する効果が得られる。
（１）請求項１の構成により、Ｌ型回転ストッパーと外タテ部により外れ防止機構が働くので携帯されたハンマーは簡単に外れないので安全である。【００１４】（２）請求項１の構成により、ハンマーの外れ防止機構はハンマーを斜めか水平にするだけで解除されるので携帯具への出し入れが簡単に出来る。【００１５】（３）請求項１の構成により、ハンマーを携帯具に出し入れするのに腰ベルト以下で操作が出来るので携帯具への出し入れが簡単に出来る。【００１６】（４）請求項１の構成により、携帯されたハンマーは溝型アーム内の溝底部に納まるので大きく揺れる事がない。
【発明を実施するための最良の形態】
【００１７】以下、図面に示す発明を実施するための形態により本発明を詳細に説明する。【００１８】ハンマーの外れ防止機構のメカニズムに付いて説明すると、携帯されたハンマー６が突き上げ作用により持ち上げられるとＬ型回転ストッパー３のハンマー押え部３ａに接触しシャフト４を中心にして回転作用が働き、ハンマー柄当たり部３ｂがハンマー柄部６ｂに当たりハンマーヘッド部６ａは外側に押されるが外タテ部２ｃと接触する為ハンマー柄当たり部３ｂはそれ以上回転作用が止まりハンマーヘッド部６ａはハンマー押え部３ａで押えられるので外れないものとなる。【００１９】この外れ防止機構を解除するには、ハンマー柄部６を握り斜めか水平にした状態で持ち上げるとハンマー柄当たり部３ａと接触しないのでハンマー押え部３ｂは抵抗することなく回転されるので簡単に出すことが出来る。【００２０】２は溝型アームで腰ベルト固定具のタテ方向中心に対峙して付けその間隔は約３ｃｍ程度で可。２ａは内タテ部で腰ベルト固定具に固定し上部にヨコ方向にシャフトが連結される。２ｂは溝底部で内タテ部と外タテ部を連結しハンマーヘッド６ａを載せるものでその幅は約３ｃｍ程度でハンマーの大きさにより調整しハンマーのガタつきを小さくするために内側へ少の傾斜を付けてハンマーを内側に寄せると良い。２ｃは外タテ部でハンマーの外れ防止機能を有しハンマー押え部３ａ面より少し突出する程度が良くハンマーを入れやすくするために外開き状とすると良い。【００２１】３はＬ型回転ストッパーでシャフトにシャフト通し部を介して回転しストッパーと出し入れを兼ねその角度は９０度あるいは少し鋭角とする。３ａはハンマー押え部で外タテ部２ｃ外面より少し出すとハンマーヘッドが掛け易く入れやすくなる。３ｂはハンマー柄当たり部でハンマー柄部６ｂと接触するとストッパーの機能を有しその機能を高める為下端に折り返しを付けハンマー柄部６と接近させるハンマー押え部３ａの自重により常に腰ベルトプレート５に接触した状態を保持する為入り口部は閉じたものとなる。４はシャフトで丸鋼としＬ型回転ストッパー３の衝撃に耐える強固なものとする。５はベルト固定具で内タテ部２ａと固定するため鋼製が好ましくベルトに固定するために切り込みを入れたものや二重にする方法がある。
【産業上の利用可能性】
【００２２】本発明はハンマー携帯具を製造する産業で利用される。
【図面の簡単な説明】
【００２３】
【図１】本発明を実施するための最良の第１の形態のハンマー携帯具の正面図。
【図２】本発明を実施するための最良の第１の形態のハンマー携帯具の背面図。
【図３】本発明を実施するための最良の第１の形態のハンマー携帯具の平面図。
【図４】本発明を実施するための最良の第１の形態のハンマー携帯具の底面図。
【図５】本発明を実施するための最良の第１の形態のハンマー携帯具の側面図。
【図６】本発明を実施するための最良の第１の形態のハンマー携帯具の断面図。
【図７】本発明を実施するための最良の第１の形態のハンマー携帯具に入れる手順図。
【図８】本発明を実施するための最良の第１の形態のハンマー携帯具に出す手順図。
【符号の説明】
【００２４】１：ハンマー携帯具、  ２：溝型アーム、  ２ａ：内タテ部、  ２ｂ：溝底部、  ２ｃ：外タテ部、  ３：Ｌ型回転ストッパー、  ３ａ：ハンマー押え部、  ３ｂ：ハンマー柄当たり部、  ３ｃ：シャフト通し部、  ４：シャフト、  ５：ベルト固定具、  ６：ハンマー、  ６ａ：ハンマーヘッド部、  ６ｂ：ハンマー柄部、  ７：腰ベルト。
【図１】
2009248299.tif 000003
【図２】
2009248299.tif 000004
【図３】
2009248299.tif 000005
【図４】
2009248299.tif 000006
【図５】
2009248299.tif 000007
【図６】
2009248299.tif 000008
【図７】
2009248299.tif 000009
【図８】
2009248299.tif 000010